【事件の表示】
　平成１０年特許願第３５０６７１号「食肉スライサにおける帯状刃の案内装置」拒絶査定不服審判事件〔平成１２年　５月２３日出願公開、特開２０００−１４１２８７〕について、次のとおり審決する。
【結　論】
　本件審判の請求は、成り立たない。
【理　由】
　本件出願は，平成１０年１１月４日の特許出願であって，同１９年１１月２０日付で拒絶の理由が通知され，その指定期間内の同１９年１２月４日付にて意見書と共に明細書について手続補正書が提出されたが，同２０年１２月１２日付で拒絶をすべき旨の査定がされ，同２１年１月２０日に本件審判の請求がされ，同日に明細書について手続補正書が提出されたものである。
　
第２　平成２１年１月２０日付の手続補正についての補正却下の決定
［補正却下の決定の結論］
　平成２１年１月２０日付の手続補正を却下する。
　
［理由］
１　補正の内容の概要
　平成２１年１月２０日付の手続補正（以下「本件補正」という。）は，特許請求の範囲について補正をすると共にそれに関連して発明の詳細な説明の一部について補正をするものであって，特許請求の範囲の請求項１について補正前後の記載を補正箇所に下線を付して示すと以下のとおりである。
　
（１）補正前
【請求項１】適宜の間隔をおいて機枠に軸支された一対のドラムに，無端状の帯状刃を循環走行可能に張架し，該帯状刃の直線走行部分において，ブロック肉を保持するホルダーを機枠に回動可能に支承して帯状刃の走行方向と直交する方向に往復揺動させることでホルダーの先端部から突出したブロック肉を，少なくとも切り終わり部では帯状刃の刃先をホルダーの先端面に接触させて切断し，切り離されるスライス肉片を切断位置の直下に配設された表面に多数の突起を有する取出しコンベアに引き継ぐように構成された食肉スライサーであって，前記帯状刃を摺動案内する案内溝を有する平板状の案内具における前記案内溝が形成された端部の下側隅角部を面取りし表面に帯状刃の走行方向と直交する方向に多数のリブを形成し，該リブに前記スライス肉片の上面が接触しながら滑って行き前記取出しコンベヤに引き継がれる構成としたことを特徴とする食肉スライサーにおける帯状刃の案内装置。
　
（２）補正後
【請求項１】適宜の間隔をおいて機枠に軸支された一対のドラムに，無端状の帯状刃を循環走行可能に張架し，該帯状刃の直線走行部分において，ブロック肉を保持するホルダー
の上端部を
下
該スライス肉片の下面側が
上
載るように
がれる
と
は
されており，該隅角部の
く
　
２　補正の適否　　　
　本件補正のうち特許請求の範囲の請求項１についてする補正は，「ブロック肉を保持するホルダーを機枠に回動可能に支承して帯状刃の走行方向と直交する方向に往復揺動させる」ことに関し，ホルダーを機枠に支承する箇所をその「上端部」に限定し，ブロック肉をホルダーから突出したことに関し，ホルダーの「先端部」から突出，すなわち「端部」の「先」のうち，その「下」の方向の「端部」から突出することを限定し，また，「切り離されるスライス肉片を切断位置の直下に配設された表面に多数の突起を有する取出しコンベアに引き継ぐように構成する」ことに関し，切り離されるスライス肉片の「下面側」が，コンベアの「上に載るように」引き継がれる構成とするようその位置を限定したものであり，これらの補正は，特許請求の範囲の減縮を目的とすることが明らかである。
　更に，上記補正において，補正前の「該リブに前記スライス肉片の上面が接触しながら滑って行き前記取出しコンベヤに引き継がれる構成とした」中の「前記取出しコンベヤに引き継がれる」の発明特定事項は削除されたが，これらの事項は，「該スライス肉片の下面側が切断位置の直下に配設された表面に多数の突起を有する取出しコンベア上に載るように引き継がれる構成とされた食肉スライサーであって」中の「取出しコンベア上に載るように引き継がれる」の事項と重複するので，誤記であるとして削除し訂正したものと認められる。
　そこで，以下，補正後の特許請求の範囲の請求項１に係る発明（以下「本願補正発明」という。）が特許出願の際に独立して特許を受けることができるものであるか否かについて検討する。
　
（１）本願補正発明
　本願補正発明は，本件補正により補正された明細書及び願書に添付した図面の記載からみて，上記１（２）に示す特許請求の範囲の請求項１に記載された事項により特定されるとおりの「食肉スライサーにおける帯状刃の案内装置」であると認める。
　　
（２）引用例
　これに対して，原査定の拒絶の理由に引用された本件出願前に日本国内において頒布された刊行物である特開平９−２７７１９１号公報（以下「引用例１」という。）及び実願平１−１２２６００号（実開平３−６２７９３号）のマイクロフィルム（以下「引用例２」という。）の記載内容は以下のとおりである。
ア　引用例１記載の事項
　引用例１には以下の事項が記載されている。
「【０００１】【発明が属する技術分野】本発明は，牛肉，豚肉等のブロック肉を冷凍しない生の状態でスライスすることのできるブロック肉の薄切り装置に関するものである。」
「【０００２】【従来の技術】豚肉等のブロック肉をスライスする装置としては，種々のものが開発されている・・・これは，ブロック肉が冷凍されていない，いわゆる生肉（マイナス１度Ｃ以上）の状態では，肉自体が柔らか過ぎて切断中に変形して逃げが生じ，均一な切断が行なわれず，しかも肉に含まれる繊維がうまく切り離されないという問題があるからである。また，切断されたとしても切り離された薄肉が刃体に付着したり，飛散したりするという問題がある。」
「【０００５】【発明が解決しようとする課題】そこで，本発明は，生肉状態のブロック肉を均一かつ能率的にスライスすることができ，しかも肉の繊維等もうまく切り離すことのできるスライス方法とその装置を提供することを課題としている。」
「【００１２】【発明の実施の形態】以下，本発明の実施の態様について図面を参照しつつ具体的に説明する。このブロック肉の薄切り装置Ｓは，機枠１を備え，筒状のホルダ２を保持する揺動枠３が該機枠の上部に設けた軸５によって前後（図１における左右方向）に揺動自在に支持されている。
【００１３】４は前記揺動枠３を揺動させるクランク装置であって，これが軸４ａ回りに回転することにより，前記揺動枠３とホルダ２とが一体となって所定範囲で揺動する。」
「【００１６】ホルダ２の側壁２ｄ，２ｄの下端部は，側面視において下に凸な円弧状に形成されている（図７参照）。この円弧状曲線の曲率半径は，ホルダ２の揺動半径と近似している。そして，このホルダ下端部の曲線に沿うように上に凹な曲面の受け板１１が該ホルダの下端部との間に所定の間隔ｔをおいて設けられている。この受け板１１の高さ（ホルダ下端部との間隔）を調節することにより，切断されるスライス片の肉厚を調節することができる。」
「【００１９】ホルダ２の前側には切断用の刃体８が設けられている。この刃体８は環状に繋ぎ合わされた帯状の刃体で，図２に示すように，機枠１の一方の側部に設けられた駆動用モータ９の回転軸に取り付けられている駆動ドラム２２と，機枠の反対側の側部に設けられた従動ドラム２３との間に張架され，駆動用モータ９の回転によって所定の速度で一定方向に循環走行するようになっている。帯状の刃体８の一方の側縁部には，全周にわたって断面楔状の尖った刃先が形成されている。前記ホルダ２がその前向きの揺動行程でこの刃体８の位置を通過する時に，該ホルダの下側に突出したブロック肉が該刃体によってスライスされるのである。なお，刃体８は，少なくとも切り上がり部（図１におけるＺ部）では，ホルダ２の下端部と実質的に接触し，該ホルダ下端部との間の剪断効果により，繊維等を切り離すようになっている。刃体８を切り始めから切り上がりまでホルダ２の下端部に接触させるようにしてもよいが，その場合は，刃体が摩耗しやすいという問題がある。
【００２０】前記刃体８は，ホルダ２下端部付近の切断位置では，刃物保持板１２の溝１２ａに摺動自在に嵌合した状態で案内される。このため，薄肉の帯状刃体を用いても該刃体８が振れることなく，正確な切断を行うことができる。この刃物保持板１２の上面は，前記受け板の場合と同様に，ホルダ２の揺動半径と近似した曲率半径の凹状曲面として形成されており，ホルダ２は，該刃物保持板の直上部をその上面に沿って揺動する。
【００２１】前記刃体８の下側には，表面に多数の針状突起２６，…を備えた複数の突起付き搬送帯１３ａ，…を有する受取装置１３が設けられている。この受取装置１３の搬送帯１３ａ，…は，互いに等しい間隔をおいて平行に設けられ，それぞれが，図７に示すように，上下のローラ３０，３１に巻き掛けられている。３３は，これらローラ３０，３１が取り付けられた受取フレームであり，前記厚み調節用フレーム１７に固着されている。・・・」
「【００２４】このブロック肉の薄切り装置Ｓの使用に際しては，受け板１１の高さを所望のスライス肉片の厚みとなるよう調節し，筒状のホルダ２内にブロック肉２５を入れる。この状態で各シリンダ，モータ等の駆動手段を作動させると，ブロック肉２５がその下端部から順に薄く切断され，スライス肉片２０が得られる。上記シリンダ，モータ等の動作は，図示を省略した制御装置によって制御される。
【００２５】上記切断は，具体的にはつぎのような手順で行われる。まず，ホルダ２が刃体８から後退した状態でエアシリンダ１０が収縮し，押圧具６によるブロック肉外周部への押圧が緩められる。すると，ブロック肉２５が自重で受け板１１上に落下し，該受け板によって位置決めされる。・・・
【００２６】この状態でホルダが前進すると，図５に示すように，モータ９によって循環走行している帯状の刃体８によって切断が行われる。この時，切断によって垂れ下がった肉片は，突起付き搬送帯１３ａ，…の突起２６，…に突き刺されて該搬送体１３ａ，…の移動とともに下方へ引き離される。このため，刃体８等への肉片の付着が防止されるとともに，刃体８は，図６に示すように，ホルダ２の側壁下端面と殆ど接触する状態で該下端面に沿って相対移動するため，切断部における肉の変形や逃げ等が生じない。」
　
イ　引用例１記載の発明
　上記アの引用例１記載事項の段落【００２６】の記載，及び図面中の図５及び図６を参酌すると，スライス肉片２０は，切断によって垂れ下がり，その肉片の下面側は，突起付き搬送帯１３ａの上に載り，搬送帯１３ａに引き継がれて搬送されるものと解され，また，同じく段落【００２０】の記載，及び図５乃至７を参酌すると，刃物保持板１２は，溝１２ａが形成されており，その端部の下側隅角部には面取りが施されているものと解される。
　そうすると，引用例１記載の事項を本願補正発明に照らして整理すると引用例１には以下の発明（以下「引用発明」という。）が記載されていると認める。
「適宜の間隔をおいて機枠１に軸支された駆動ドラム２２と従動ドラム２３に，帯状の刃体８を循環走行可能に張架し，該帯状の刃体８の直線走行部分において，ブロック肉２５を保持するホルダ２の上端部を機枠１に回動可能に支承して帯状の刃体８の走行方向と直交する方向に往復揺動させることでホルダ２の下端部から突出したブロック肉２５を，少なくとも切り終わり部では帯状の刃体８の刃先をホルダ２の先端面に接触させて切断し，切り離されるスライス肉片２０が，該スライス肉片２０の下面側が切断位置の直下に配設された表面に多数の針状突起２６を有する搬送帯１３ａ上に載るように引き継がれる構成とされたブロック肉の薄切り装置であって，帯状の刃帯８を摺動案内する溝１２ａを有する平板状の刃物保持板１２における溝１２ａが形成された端部の下側隅角部は面取りされた構成としたブロック肉の薄切り装置における帯状の刃８の案内装置。」 
　
ウ　引用例２記載の事項
  引用例２には以下の事項が記載されている。
「（産業上の利用分野）
　本考案は，弾性な多孔質体を薄状の多孔質体にスライスする切断装置に関する。」（第２頁５行〜７行）
「（考案が解決しようとする課題）
　ところでこの従来の切断装置にあたっては，ＰＶＡｔ系多孔質体のような弾性な多孔質体を厚さ１０ｍｍ以下の薄さに切断した場合，多孔質体の腰が弱いため切断されたシート状の多孔質体が刃押え部材（５０）の上を滑らかに進まず所謂しゃくり現象を起こしていた。・・・」（第６頁５行〜１１行）
「（課題を解決するための手段）
　上記従来技術の問題点を解決するためこの考案は，多孔質体をスライスして薄状の多孔質体に切断する切断装置であって，前記多孔質体を載置し，スライス毎に往復動させる送り台と，この送り台の上方に横設され駆動ローラに巻回されて前記スライス方向と直角方向にエンドレス回転させると共に，前記多孔質体をスライスする一端が鋭利となっているループ状のバンドナイフと，このバンドナイフをスライス時に昇降させる昇降装置と，一端を軸支し，他端を前記バンドナイフの鋭利部分を被わないように上下から挟持し，スライスされた多孔質体の切断部を剥離させバンドナイフの進入を円滑にさせるための傾斜をしたナイフガイドを設けると共に，該ナイフガイド上に剥離された多孔質体を搬出コンベアまで送り込むことを補助する送りコンベアとからなる刃押え部と，前記送りコンベアと連設され，スライスされた薄状多孔質体を次工程へ搬出する搬出コンベアとからなることを特徴とする多孔質体の切断装置によって達成される。
（作用）
　本考案は弾性な多孔質体のブロックをエンドレス回転しているバンドナイフに送り込んで切断し，薄状に切断される多孔質体を刃押え部が１枚１枚剥離し，移送することによって平滑性に優れた切断面を有した製品を得ることができる。」（第７頁７行〜第８頁１３行）
「　ここに於いて，多孔質体を所定の厚さにスライスする切断装置の構造は，第１図に示すように被切断物の供給部（イ）と，切断部（ロ）と，刃押え部（ハ）と，搬出コンベア（ニ）とから構成される。・・・
　本実施例ではこの供給部（イ）は，送り台（７）がパレットに対し，外部駆動がコンベアからなる。
　次に切断部（ロ）は，多孔質体（１）をスライスする一端が鋭利になっている金属等で成るエンドレスのバンドナイフ（２）と，このバンドナイフ（２）を多孔質体（１）の切断方向に対して直角方向に回転させる一対の駆動プーリー（３ａ）（３ｂ）に巻回され，回転しているバンドナイフを多孔質体に押し与えることによって多孔質体を薄くスライスする様になっている。・・・
　又，刃押え部（ハ）は，ナイフガイド（５１）（５２）と，これと連設した送りコンベア（５３）とからなり，送りコンベア（５３）の搬送方向上流側ローラ（６０）を支点として，前記昇降手段の上下運動と連動して上下に回動できる構成となっている。
　前記ナイフガイド（５１）（５２）は，バンドナイフ（２）の切刃部である鋭利部分を被わないで，かつバンドナイフ（２）と接触しない程度に上下から挟持する傾斜角を有する板からなる。この傾斜面は，スライスされた多孔質体の切断部を剥離させバンドナイフ（２）の進入を円滑にさせるために設けるものであり，出来る限り鋭角とするのが好ましい。
　又，送りコンベア（５３）は，ベルトコンベアからなり，スライスされた多孔質体の搬出を円滑にするため，前記ナイフガイド（５１）（５２）と近接して連設すると共に，その載り移り部分が同一平面となる様になっている。」（第９頁１９行〜第１１頁１５行）
「　また，ナイフガイドの斜面と被切断物の摩擦抵抗をより小さくするための方法を第２図に示す。第２図（ａ）はナイフガイドの断面図であり，同図（ｂ）は，（ａ）のＡ−Ａ’方向の要部断面図である。切断する際に，被切断物と接するナイフガイド（５１）（５２）の両面にバンドナイフ（２）の刃先が現われている部位から０．５ｍｍ程度の深さの溝（５５）を設け，かつ，表面にテフロン・コーティング等の摩擦係数を低くするための処理を施したものである。尚ナイフガイドを加工する代わりにナイフガイドの両面の同位置に凹凸のある摩擦係数の低いシートを貼っても同様である。この表面に凹凸のあるナイフガイドは被切断物との接触面積が小さく，摩擦抵抗も小さいので，厚さ２ｍｍのＰＶＡｔ系多孔質体でも，ナイフガイドの斜面を滑らかに一定の速度で進み，しゃくり上がるような現象は起こらなかった。また，ナイフガイドの表面に設けた溝（５５）（凹凸）は，横方向への滑り抵抗は大きいため被切断物がバンドナイフの回転方向に引き込まれる，いわゆる横滑りを防止する役割をも果す。」（第１４頁１２行〜第１５頁１２行）
「　更に，バンドナイフの表面に凹凸を設けたものに於ては，スライス状に切断された薄状多孔質体をより摩擦抵抗を少くしてナイフガイド上に走行させることが出来るため，より平滑性の優れた製品を得ることが出来ると共に，凹凸のため，スライスされた薄状多孔質体の横滑りをも防止させることが出来た。」（第１６頁５行〜同１１行）
　
（３）対比
　本願補正発明と引用発明とを対比すると以下のとおりである。
　引用発明の「機枠１」は，本願補正発明の「機枠」に，同様に，「駆動ドラム２２と従動ドラム２３」は「一対のドラム」に，「帯状の刃体８」は「帯状刃」に，「ブロック肉２５」は「ブロック肉」に，「ホルダ２」は「ホルダー」に，「スライス肉片２０」はスライス肉片」に，「多数の突起２６を有する突起付き搬送帯１３ａ」は「多数の突起を有する取出しコンベア」に，「刃物保持板１２」は「案内具」に，「溝１２ａ」は「案内溝」に，「ブロック肉の薄切り装置」は「食肉スライサー」に，そして，これら引用発明の「刃物保持板１２」及び「溝１２ａ」により「帯状の刃体８」を案内する装置は，本願補正発明の「帯状刃の案内装置」に相当することが明らかである。
　したがって，本願補正発明と引用発明とは，以下の点で一致しているということができる。
　
［一致点］
　適宜の間隔をおいて機枠に軸支された一対のドラムに，無端状の帯状刃を循環走行可能に張架し，該帯状刃の直線走行部分において，ブロック肉を保持するホルダーの上端部を機枠に回動可能に支承して帯状刃の走行方向と直交する方向に往復揺動させることでホルダーの下端部から突出したブロック肉を，少なくとも切り終わり部では帯状刃の刃先をホルダーの先端面に接触させて切断し，切り離されるスライス肉片が，該スライス肉片の下面側が切断位置の直下に配設された表面に多数の突起を有する取出しコンベア上に載るように引き継がれる構成とされた食肉スライサーであって，前記帯状刃を摺動案内する案内溝を有する平板状の案内具における前記案内溝が形成された端部の下側隅角部は面取りされた構成としたことを特徴とする食肉スライサーにおける帯状刃の案内装置。
　
　そして，補正発明と引用発明とは，以下の点で相違している。
　
［相違点］
　本願補正発明では，案内具における案内溝が形成された端部の下側隅角部の表面に帯状刃の走行方向と直交する方向に多数のリブを形成し，該リブに前記スライス肉片の上面が接触しながら滑って行く構成としているのに対し，引用発明では，これらの構成を備えていない点。
　
（４）相違点の検討
　本願補正発明と引用発明との相違点に関し，引用例２記載の事項をみると，引用例２記載の「駆動プーリー（３ａ）（３ｂ）」は，本願補正発明の「一対のドラム」に，同様に，「エンドレスのバンドナイフ（２）」は「無端状の帯状刃」に，同じく薄状体に切断される対象物として，「多孔質体（１）」は「ブロック肉」に，同じくその切断した結果生じるものとして，「薄状多孔質体（６）」は「スライス肉片」に，同じく切断された薄状体を取り出して搬送する手段として，「送りコンベア（５３）」は「取り出しコンベア」に，同じく薄状体を製造する装置として，弾性の多孔質体を薄状の多孔質体にスライスする「切断装置」は，ブロック肉をスライス肉片に切断する「食肉スライサー」に，同じく薄状体に切断する切刃を案内する手段として，バンドナイフ（２）と接触しない程度に上下から挟持する板からなる「ナイフガイド（５１）（５２）」は，案内溝を有する平板状の「案内具」に，同じくそのナイフガイド（５１）（５２）を構成する板の「傾斜面」は，案内具の端部の下側隅角部の「面取り」に，同じくナイフガイド（５１）（５２）の両面にバンドナイフ（２）の走行方向と直行する方向に形成されている「溝５５」は，案内具の隅角部の表面に帯状刃の走行方向と直行する方向に形成された「リブ」に，相当するものである。そして，これらのことから，引用例２記載の「ナイフガイド（５１）（５２）」により「バンドナイフ（２）」を案内する装置は，本願補正発明の「帯状刃の案内装置」に対応することが明らかである。
　そして，引用例２記載の事項を本願補正発明に照らして整理すると引用例２には，「適宜の間隔をおいて軸支された一対の駆動プーリー（３ａ）（３ｂ）に，エンドレスのバンドナイフ（２）を循環走行可能に張架し，該バンドナイフ（２）の直線走行部分において，多孔質体（１）に，バンドナイフ（２）の刃先を接触させて切断し，切り離される薄状多孔質体（６）が，その下面側が切断位置の直下に配設された送りコンベア（５３）上に載るように引き継がれる構成とされた，弾性の多孔質体を薄状の多孔質体にスライスする切断装置であって，バンドナイフ（２）を摺動案内する案内溝を有する平板状の案内具における案内溝が形成された端部の上側隅角部は面取りされて傾斜しており，該隅角部の表面にバンドナイフ（２）の走行方向と直交する方向に多数の溝（５５）を形成し，該溝（５５）に薄状多孔体（６）の上面が接触しながら滑って行く構成としたことを特徴とするバンドナイフ（２）の案内装置。」（以下「引用２記載の発明」という。）の発明が記載されている。そして，この「溝（５５）（凹凸）」が形成されていることから，被切断物との接触面積が小さく，摩擦抵抗も小さいので，薄状の多孔質体が，ナイフガイドの斜面を滑らかに一定の速度で進み，しゃくり上がるような現象が起こらなくなり，横方向への滑り抵抗は大きいため被切断物がバンドナイフの回転方向に引き込まれる，いわゆる横滑りを防止することができることが記載されている。
　そこで，本願補正発明と引用発明の上記相違点について検討すると，引用発明は，ブロック肉をスライス肉片に切断する「食肉スライサー」に関する発明であるのに対し，引用例２に記載の発明においては，弾性の多孔質体を薄状の多孔質体にスライスする「切断装置」の発明である点で相違する。しかしながら，薄状体を切断する装置である点では共通しており，更に，薄状体を切断するための手段として，適宜の間隔をおいて機枠に軸支された一対のドラムを備え，無端状の帯状刃を循環走行可能に張架し，該帯状刃の直線走行部分を切断対象物に接触させて切断し，切り離される薄状片が，切断位置の直下に配設されたコンベア上に載るように引き継がれる構成とし，帯状刃を摺動案内する案内溝を有する平板状の案内具を有し，案内溝が形成された端部の隅角部は面取りされた構成を備えている点でも共通する。
　したがって，引用発明において，ブロック肉をスライス肉片に切断し，切り離される薄状片が，切断位置の直下に配設されたコンベア上に載るように引き継ぐ際には，スライス肉片が刃体８ばかりでなく，刃物保持板１２にも付着するという問題も有することは容易に想到できることである。そして，引用例２には，薄状片に切断する帯状刃の案内装置において，案内具の隅角部の表面に帯状刃の走行方向と直行する方向に形成された「溝（５５）（凹凸）」を形成すれば，被切断物との接触面積が小さくなり，摩擦抵抗も小さくなるので，薄状の多孔質体が，ナイフガイドの斜面を滑らかに一定の速度で進み，しゃくり上がるような現象が起こらなくなり，横方向への滑り抵抗は大きいため被切断物がバンドナイフの回転方向に引き込まれる，いわゆる横滑りを防止することができることが記載されているのであるから，当業者が，同じ薄状体を切断する装置である引用例２記載の発明に接したならば，引用発明の前記問題を解決するために，引用例２記載の発明を適用し，その引用例２記載の溝（５５）（凹凸）を引用発明の刃物保持板の表面に形成することは，当業者にとって格別困難なことではない。
　そして，本願補正発明によってもたらされる効果も，引用発明及び引用例２記載の発明から当業者であれば予測できる程度のものであって格別のものではない。
　したがって，本願補正発明は，引用発明に基づいて当業者が容易に発明をすることができたものであるから，特許法第２９条第２項の規定により特許出願の際独立して特許を受けることができないものである。
　
３　むすび
　よって，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　
第３　本願出願の発明について
　
１　本願出願の発明
　本件補正は，上記のとおり却下されたので，本願出願の請求項に係る発明は，平成１９年１２月４日付手続補正書により補正された明細書及び願書に添付した図面の記載からみて，その特許請求の範囲の請求項１に記載された事項により特定されるとおりのものであると認められるところ，請求項１に係る発明（以下「本願出願の発明」という。）は，上記第２の１（１）に示す特許請求の範囲の請求項１に記載されたとおりの「食肉スライサーにおける帯状刃の案内装置」である。
　
２　引用例
　これに対して，原査定の拒絶の理由に引用された刊行物及びその記載内容は，上記第２の２（２）に示したとおりである。
　
３　対比・検討
　本願出願の発明は，上記第２の２で検討した本願補正発明から，実質的に，「ブロック肉を保持するホルダーを機枠に回動可能に支承して帯状刃の走行方向と直交する方向に往復揺動させる」ことに関し，ホルダーを機枠に支承する箇所の「上端部」という事項を削除し，ブロック肉をホルダーから突出したことに関し，ホルダーの「先端部」から突出，すなわち「端部」の「先」のうち，その「下」の方向の「端部」から突出するという事項を削除し，また，「切り離されるスライス肉片を切断位置の直下に配設された表面に多数の突起を有する取出しコンベアに引き継ぐように構成する」ことに関し，切り離されるスライス肉片の「下面側」が，コンベアの「上に載るように」引き継がれる構成とする事項を削除したものである。
  なお，上記補正において，補正前の「該リブに前記スライス肉片の上面が接触しながら滑って行き前記取出しコンベヤに引き継がれる構成とした」中の「前記取出しコンベヤに引き継がれる」の発明特定事項は，「該スライス肉片の下面側が切断位置の直下に配設された表面に多数の突起を有する取出しコンベア上に載るように引き継がれる構成とされた食肉スライサーであって」中の「取出しコンベア上に載るように引き継がれる」の事項と重複するので，誤記であると認められる。
　
　そうすると，本願出願の発明を構成する事項の全てを含み，さらに他の事項を付加する本願補正発明が上記第２の２（４）末尾で示したとおり，引用発明及び引用例２記載の発明に基づいて当業者が容易に発明をすることができたものであるから，本願出願の発明も同様の理由により当業者が容易に発明をすることができたものである。
　
４　むすび
　したがって，本願出願の発明は，特許法第２９条第２項の規定により特許を受けることができない。
　よって，本願出願は拒絶されるべきであるから，結論のとおり審決する。